(57)【特許請求の範囲】
【請求項１】
本体の前面および上面に設けた吸込口と、前面下部に設けた吹出口とを結ぶ空気通路に、垂直部とその上端から後方に傾斜させた後方傾斜部とその先端から下方に傾斜させた下方傾斜部とからなる熱交換器と、前記吸込口から吸い込み前記熱交換器で熱交換した吸込空気を前記吹出口に送出する送風ファンとを設け、前記熱交換器の少なくとも前記下方傾斜部に対応して、前記空気通路を構成し、後方に前記下方傾斜部の下端を受ける後方リブを立設したベースの背面側にドレンパンを連続的に設けてなり、前記熱交換器の下方傾斜部を取り除いた際、前記後方傾斜部の後端と前記ドレンパンとの間に、遮風部材を架設してなる空気調和機において、
前記遮風部材の上部は前記後方傾斜部の後端に係止する一方、下部は前記後方リブおよび、または前記ドレンパン前端の内側に係止する係止部を設け、同係止部により前記ドレンパン前端から少許後方に離間して係止するようにしたことを特徴とする空気調和機。
【請求項２】
前記係止部が、前記後方リブの先端部一側に接合する接合片と、同接合片および、または前記遮風部材の下部に前記ドレンパン前端の内側に対向して立設した係止リブとからなり、同係止リブを前記ドレンパン前端の内側に当接するとともに、前記接合片を前記後方リブの先端部一側に接合して前記遮風部材の下部を係止するようにしたことを特徴とする請求項１記載の空気調和機。
【請求項３】
前記接合片を前記遮風部材の長手方向に亘って略Ｌ字状に形成し、前記遮風部材と前記係止リブとを、ほぼ同一平面状にしたことを特徴とする請求項２記載の空気調和機。
【請求項４】
前記係止リブを、複数立設したことを特徴とする請求項２記載の空気調和機。
【請求項５】
前記係止リブと前記接合片とを、前記遮風部材と一体的に形成したことを特徴とする請求項２乃至請求項４記載の空気調和機。
【請求項６】
前記遮風部材の上部は前記後方傾斜部の後端に係止する一方、下部は前記後方リブの先端部に嵌合する二股状の係止片を設け、同係止片により前記ドレンパン前端から少許後方に離間して係止するようにしたことを特徴とする請求項１記載の空気調和機。
【請求項７】
前記係止片を、前記遮風部材の長手方向に亘って設けたことを特徴とする請求項６記載の空気調和機。
【請求項８】
前記係止片を、前記遮風部材と一体的に形成したことを特徴とする請求項６または請求項７記載の空気調和機。
【発明の詳細な説明】
【０００１】
【発明の属する技術分野】
本発明は、空気調和機に係わり、より詳細には、熱交換器の下方傾斜部を取り除いて該箇所に遮風部材を架設した際、同遮風部材の下部から空気通路内に露が侵入しないよう防止できるようにした構造に関する。
【０００２】
【従来の技術】
従来の空気調和機は、例えば図３（Ａ）乃至図３（Ｃ）で示すように、本体１の前面および上面に設けた吸込口２と、前面下部に設けた吹出口５とを結ぶ空気通路に、垂直部３ａとその上端から後方に傾斜させた後方傾斜部３ｂとその先端から下方に傾斜させた下方傾斜部３ｃとからなる熱交換器３と、前記吸込口２から吸い込み前記熱交換器３で熱交換した吸込空気を前記吹出口５に送出する送風ファン４とを設け、前記熱交換器３の少なくとも前記下方傾斜部３ｃに対応して、前記空気通路を構成し、後方に前記下方傾斜部３ｃの下端を受ける後方リブを立設したベース６の背面側にドレンパン７を連続的に設けてなり、前記熱交換器３の下方傾斜部３ｃを取り除いた際、前記後方傾斜部３ｂの後端と前記ドレンパン７との間に、遮風部材８を架設してなる構成であった。
【０００３】
前記遮風部材８を架設したことにより、前記下方傾斜部３ｃを取り除いて、前記熱交換器３による熱交換の能力を変えた比較的に安価な商品としてユーザに提供するような場合、前記ベース６等の形状および寸法を変えることなく前記本体１を形成できてコスト的に有利な構成となっていた。
【０００４】
しかしながら、前記遮風部材８の上部を前記後方傾斜部３ｂの後端に係止する一方、下部を前記ドレンパン７前端の内側に係止する際、断熱材９を介装して係止する必要があるためコスト的に不利になると同時に作業性が悪くなり、また、前記遮風部材８に付着した露１０が、毛細管現象によって前記遮風部材８の下部と前記ドレンパン７前端との係止部から前記空気通路内に侵入して、前記吹出口５に向けて飛散してしまうという問題を有していた。
【０００５】
【発明が解決しようとする課題】
本発明においては、上記の問題点に鑑み、熱交換器の下方傾斜部を取り除いて該箇所に遮風部材を架設した際、同遮風部材の下部から空気通路内に露が侵入しないよう防止できるようにした空気調和機を提供することを目的とする。
【０００６】
【課題を解決するための手段】
本発明は、上記問題点を解決するため、本体の前面および上面に設けた吸込口と、前面下部に設けた吹出口とを結ぶ空気通路に、垂直部とその上端から後方に傾斜させた後方傾斜部とその先端から下方に傾斜させた下方傾斜部とからなる熱交換器と、前記吸込口から吸い込み前記熱交換器で熱交換した吸込空気を前記吹出口に送出する送風ファンとを設け、前記熱交換器の少なくとも前記下方傾斜部に対応して、前記空気通路を構成し、後方に前記下方傾斜部の下端を受ける後方リブを立設したベースの背面側にドレンパンを連続的に設けてなり、前記熱交換器の下方傾斜部を取り除いた際、前記後方傾斜部の後端と前記ドレンパンとの間に、遮風部材を架設してなる空気調和機において、
前記遮風部材の上部は前記後方傾斜部の後端に係止する一方、下部は前記後方リブおよび、または前記ドレンパン前端の内側に係止する係止部を設け、同係止部により前記ドレンパン前端から少許後方に離間して係止するようにした構成となっている。
【０００７】
また、前記係止部が、前記後方リブの先端部一側に接合する接合片と、同接合片および、または前記遮風部材の下部に前記ドレンパン前端の内側に対向して立設した係止リブとからなり、同係止リブを前記ドレンパン前端の内側に当接するとともに、前記接合片を前記後方リブの先端部一側に接合して前記遮風部材の下部を係止するようにした構成となっている。
【０００８】
また、前記接合片を前記遮風部材の長手方向に亘って略Ｌ字状に形成し、前記遮風部材と前記係止リブとを、ほぼ同一平面状にした構成となっている。
【０００９】
また、前記係止リブを、複数立設した構成となっている。
【００１０】
また、前記係止リブと前記接合片とを、前記遮風部材と一体的に形成した構成となっている。
【００１１】
また、前記遮風部材の上部は前記後方傾斜部の後端に係止する一方、下部は前記後方リブの先端部に嵌合する二股状の係止片を設け、同係止片により前記ドレンパン前端から少許後方に離間して係止するようにした構成となっている。
【００１２】
また、前記係止片を、前記遮風部材の長手方向に亘って設けた構成となっている。
【００１３】
更に、前記係止片を、前記遮風部材と一体的に形成した構成となっている。
【００１４】
【発明の実施の形態】
上記構造により、熱交換器の下方傾斜部を取り除いて該箇所に遮風部材を架設した際、同遮風部材の下部から空気通路内に露が侵入しないよう防止できるようにした空気調和機となる。
【００１５】
【実施例】
以下、本発明の実施例を図面に基づいて詳細に説明する。
図１（Ａ）および図１（Ｂ）と、図２（Ａ）および図２（Ｂ）とにおいて、１は空気調和機の室内機本体、２は同本体１の前面および上面に設けられた吸込口、３は同吸込口２と前記本体１の前面下部に設けられた吹出口５とを結ぶ空気通路に設けられた熱交換器、４は同熱交換器３により熱交換された吸込空気を前記吹出口５に送出するための送風ファン、５は同送風ファン４により前記吸込口２から吸い込まれ前記熱交換器３で熱交換された吸込空気を室内に向けて吹き出すための吹出口である。
【００１６】
前記熱交換器３は、図１（Ａ）で示すように、垂直部３ａと、同垂直部３ａの上端から後方に傾斜させた後方傾斜部３ｂと、同後方傾斜部３ｂの先端から後方に所定の間隔で離間して下方に傾斜させた下方傾斜部３ｃとからなる構成となっており、少なくとも同下方傾斜部３ｃに対応して、前記空気通路を構成し、後方に前記下方傾斜部３ｃの下端を受ける後方リブ６ａを立設したベース６の背面側にドレンパン７を連続的に設けた構成となっており、同ドレンパン７で前記下方傾斜部３ｃから滴下した露を受けるようにした構成となっている。
【００１７】
前記構成で、図１（Ｂ）で示すように、前記下方傾斜部３ｃを取り除いて、前記後方傾斜部３ｂの後端と前記ドレンパン７との間に遮風部材８を架設したことにより、前記熱交換器３による熱交換の能力を変えた比較的に安価な商品としてユーザに提供するような場合、前記ベース６等の形状および寸法を変えることなく前記本体１を形成できるようにしたコスト的に有利な構造となっている。
【００１８】
前記遮風部材８の上部は前記後方傾斜部３ｂの後端に係止する一方、下部は、一実施例として図２（Ａ）で示すように、前記後方リブ６ａおよび、または前記ドレンパン７前端の内側に係止するための後述する係止部を設け、同係止部により前記ドレンパン７前端から少許後方に離間して係止するようにした構成となっており、
これによって、前記遮風部材８から滴下する露１０が、毛細管現象を起こすことなく、前記ドレンパン７に円滑に導かれるようになって前記空気通路内に侵入することがないようにした構造となる。
【００１９】
また、前記遮風部材８の下部を前記後方リブ６ａおよび、または前記ドレンパン７前端の内側に係止するための係止部が、前記後方リブ６ａの先端部一側に接合する接合片８ａと、同接合片８ａおよび、または前記遮風部材８の下部に前記ドレンパン７前端の内側に対向して立設した係止リブ８ｂとからなり、同係止リブ８ｂを前記ドレンパン７前端の内側に当接するとともに、前記接合片８ａを前記後方リブ６ａの先端部一側に接合して前記遮風部材８の下部を係止するようにした構成となっており、
これによって、前記遮風部材８の下部を前記後方リブ６ａおよび、または前記ドレンパン７前端の内側に容易に、且つ正確に係止できるようになり、前記遮風部材８から滴下する露１０が、毛細管現象を起こすことなく、前記接合片８ａおよび前記係止リブ８ｂに沿って前記ドレンパン７に円滑に導かれるようになり、前記空気通路内に侵入することがないようにした構造となる。
【００２０】
また、前記接合片８ａを前記遮風部材８の長手方向に亘って略Ｌ字状に形成し、前記遮風部材８と前記係止リブ８ｂとをほぼ同一平面状にしたことにより、前記空気通路を適正に確保できるとともに、前記遮風部材８から滴下する露１０を前記ドレンパン７に円滑に導けるようにした構成となっている。
【００２１】
また、前記係止リブ８ｂを複数立設したことにより、前記遮風部材８の下部を正確に、且つ強固に係止できるようになり、また、前記遮風部材８の強度を増強できるようにした構成となっている。
【００２２】
また、前記係止リブ８ｂと前記接合片８ａとを、前記遮風部材８と一体的に形成したことにより、寸法形状が精度よく仕上げられると共に、コスト的に有利な構成となっている。
【００２３】
また、前記遮風部材８の上部は前記後方傾斜部３ｂの後端に係止する一方、他の実施例として図２（Ｂ）で示すように、下部は前記後方リブ６ａの先端部に嵌合する二股状の係止片８ｃを設け、同係止片８ｃにより前記ドレンパン７前端から少許後方に離間して係止するようにした構成となっており、
これによって、前記遮風部材８の下部を前記後方リブ６ａの先端部に隙間なく強固に嵌合できて、前記遮風部材８から滴下する露１０が、毛細管現象を起こすことなく、前記ドレンパン７に円滑に導かれるようになって前記空気通路内に侵入することがないようにした構造となる。
【００２４】
また、前記係止片８ｃを、前記遮風部材８の長手方向に亘って設けたことにより、前記遮風部材８の下部を前記後方リブ６ａの先端部に隙間なく、より強固に嵌合できるようにした構成となっている。
【００２５】
更に、前記係止片８ｃを、前記遮風部材８と一体的に形成したことにより、寸法形状が精度よく仕上げられると共に、コスト的に有利な構成となっている。
【００２６】
以上の構成により、図１（Ａ）および図１（Ｂ）と、図２（Ａ）および図２（Ｂ）とで示すように、前記遮風部材８の上部は前記後方傾斜部３ｂの後端に係止する一方、下部は、前記接合片８ａおよび前記係止リブ８ｂからなる係止部、または前記係止片８ｃにより前記ドレンパン７前端から少許後方に離間して係止するようにしたことによって、前記遮風部材８から滴下する露１０が、毛細管現象を起こすことなく、前記ドレンパン７に円滑に導かれるようになって前記空気通路内に侵入することがないようにした空気調和機となる。
【００２７】
【発明の効果】
以上のように本発明によると、熱交換器の下方傾斜部を取り除いて該箇所に遮風部材を架設した際、同遮風部材の下部から空気通路内に露が侵入しないよう防止できるようにした空気調和機となる。
【図面の簡単な説明】
【図１】本発明による空気調和機の室内機の説明図で、（Ａ）は垂直部と後方傾斜部と下方傾斜部とからなる熱交換器を配置した例を示す断面図であり、（Ｂ）は熱交換器の下方傾斜部を取り除いて該箇所に遮風板を架設した例を示す断面図である。
【図２】本発明による空気調和機の室内機の要部説明図で、（Ａ）は一実施例を示し、（Ｂ）は他の実施例を示す。
【図３】従来例による空気調和機の室内機の説明図で、（Ａ）は垂直部と後方傾斜部と下方傾斜部とからなる熱交換器を配置した例を示す断面図であり、（Ｂ）は熱交換器の下方傾斜部を取り除いて該箇所に遮風板を架設した例を示す断面図であり、（Ｃ）は（Ｂ）の要部断面図である。
【符号の説明】
１  室内機本体
２  吸込口
３  熱交換器
３ａ  垂直部
３ｂ  後方傾斜部
３ｃ  下方傾斜部
４  送風ファン
５  吹出口
６  ベース
６ａ  後方リブ
７  ドレンパン
８  遮風部材
８ａ  接合片
８ｂ  係止リブ
８ｃ  係止片
１０  露
【図１】
0003546608.tif 000002
【図２】
0003546608.tif 000003
【図３】
0003546608.tif 000004